(57)【要約】【課題】葬儀や参拝に関する種々の行事において、一つの建物内で全て執り行え、コストも抑えられるといった、利用者のあらゆるニーズに応えることができる堂内陵墓を提供することにある。【解決手段】本発明の堂内陵墓は、複数の堂内設置墓を備えた礼拝堂と、葬儀、法要などの法要を行う本堂と、葬儀に際して遺体の搬入及び搬出を行うエントランスホールとを同一建物内に複合配置したことを特徴とする。【選択図】  図１
2014202005.tif 000002
【特許請求の範囲】
【請求項１】
複数の堂内設置墓を備えた礼拝堂と、葬儀、法事などの法要を行う本堂と、葬儀に際して遺体の搬入及び搬出を行うエントランスホールとを同一建物内に複合配置したことを特徴とする堂内陵墓。
【発明の詳細な説明】
【技術分野】
【０００１】
本発明は、堂内陵墓に関する。
【背景技術】
【０００２】
近年、遺骨を納める墓の形式は多種多様化しており、広い敷地を要せず、効率的に複数の墓を設置できる、室内型の墓の需要が増加している。一つの建物内に複数の墓を安置することが可能であり、かつ複数の墓を効率よく管理しうることから今後も大きな需要が見込まれている。また、室内の利便性を活かし、墓の老朽化、地震等の天災の面において有利と認められている。
【０００３】
墓の参拝方法として、室内での参拝を可能とする堂内陵墓は快適な参拝状況を確保しうる点から、大きな需要がある。しかし、参拝のためのみの施設ではなく、それに付随する施設、例えば葬儀、法要、お清め、精進落としを執り行う場所、法要の際の出席者が休憩できる場所、通夜振る舞いの会場、大人数も収容可能な大式場等のあらゆる要望にも対応可能な複合施設を完備した堂内陵墓が求められている。
【０００４】
かつては、室内型の墓と言っても、遺骨を収納するロッカー式の納骨庫や合同墓が主流であり、遺体を搬送し、葬儀から納骨、その後の法要まで一括して一箇所において執り行えず、別の施設をその行事ごとに選択しなければならず不便であるという問題があった。
【０００５】
上記の改良として、礼拝堂や式場まで備え葬儀、法要を一括して執り行える複合施設も提供されているが、建物自体は離れており、依然として移動の不便があった。さらに、幅広い価格帯、参加人数、通夜振る舞い、家族葬、宗派等の利用者の全てのニーズに一つの建物内で応え得る施設はなく、利用者の全てのニーズを充足できないという問題があった。
【０００６】
図２は、従来の一般的な斎場を示す平面図である。地下１階１１０には、遺体を火葬するための炉室１１０、火葬後骨壷等に納めた遺骨を収納する収骨室１１４、葬儀が行われるまで遺体を安置する霊安室１１６、小規模の式場１１８が配置されている。また、上の階に上がるためのエレベータ１４０が配置されている。
【０００７】
図２の地上１階１２０には中規模の中式場１２２、斎場スタッフが常駐する事務局１２４、遺族・親族向けの控室１２６が配置されている。地上２階１３０には休憩所１３２、大規模の大式場１３４が配置されている。従来の斎場では、葬儀を執り行う際の通夜振る舞い、礼拝等は別の場所となることが多く、また公園墓地等の葬儀後の遺骨を納める墓の準備やその他手続きにおいて各業者への依頼、時間、コスト面において不利であった。
【０００８】
図３は、従来の近接する範囲に葬儀に関係する施設が配置される複合施設の一例を示す平面図である。区切られた同一敷地内２００に納骨堂２１０、礼拝堂２２０、式場２３０、室内陵墓２４０、レストラン２５０、公園２６０が配置されている。一括して同じ領域で行える点は有利であるが、全ての儀式にそれぞれ建物を配置し、移動や、敷地面積において不利であった。
【０００９】
そこで、本発明は従来の葬儀に関係する、手続的不便、移動時間の不便、コスト的な不利といった種々の問題を解決し、ワンストップで一業者に託すことができ、かつ利用者の全てのニーズを充足することが可能な最適な堂内陵墓を提供することにある。
【先行技術文献】
【特許文献】
【００１０】
【特許文献１】特開２００７−２６２７０９号公報
【特許文献２】特開２００２−２７６２０３号公報
【発明の概要】
【発明が解決しようとする課題】
【００１１】
特許文献１に記載の墓参システムには、多数の墓所を設営できるよう骨壷等の収納効率と、参拝に際しても快適な参拝状況を確保可能な十分な参拝効率とを、同時に実現でき、かつ、参拝者に自分の家の墓にお参りする実感、気分を与えることができる室内型の墓のしくみが開示されている。
【００１２】
しかし、特許文献１には自動搬送による運搬を利用した墓参システムを開示しているのみであり、参拝以外に葬儀、法要の際の礼拝堂、大式場までも同じ建物内に設置されることまでは明記されておらず、依然として、別会場の手配や移動の手間において利用者にとって価格面、利便性の面で不利となる問題があった。
【００１３】
特許文献２に記載の高齢者に配慮した複合施設には、一つの敷地内に介護住宅、老人ホーム、レストラン、納骨堂、礼拝堂等の施設を有し、葬儀、法事、結婚式等の冠婚葬祭を行うことができる各施設が開示されている。
【００１４】
確かに、特許文献２には近接した敷地内に葬儀に関する礼拝堂等の施設を有し、一括で葬儀、法要を執り行うことが可能であるが、特許文献２に記載の納骨堂は身寄りのない高齢者が死亡した場合の無縁仏を合葬する、いわゆる共同納骨堂を開示しており、前述の自動搬送による室内型の参拝のしくみではない。したがって、一つの建物内で全ての葬儀に関する行事を行えず、かつ介護施設等も併設していることから、利用者の心情を配慮したものとは言えず、さらに利用者に参拝の有難みや高級感を感じさせられないという問題があった。
【００１５】
そこで本発明の目的は、葬儀や参拝に関する種々の行事において利用者のあらゆるニーズに応えることにある。具体的には、一つの建物内で全て執り行え、コストも抑えられるといった、全てのニーズに応え得る堂内陵墓を提供することにある。
【課題を解決するための手段】
【００１６】
前述の目的を達成するために本発明は、複数の堂内設置墓を備えた礼拝堂と、葬儀、法事などの法要を行う本堂と、葬儀に際して遺体の搬入及び搬出を行うエントランスホールとを同一建物内に複合配置したことを特徴とする。
【発明の効果】
【００１７】
本発明によれば、同一建物内に配置される霊安室、礼拝堂、参拝口全てにおいて、統一したデザイン設計が各階においてなされ、利用者は自身の趣向と予算に合わせて選択が可能である。また、複合施設であることにより、利用者は移動する手間がなく、かつ必要な行事を適切な施設で不足なく行なえる点で有利である。
【図面の簡単な説明】
【００１８】
【図１】本発明の堂内陵墓の各階に配置される施設を示す平面図。
【図２】従来の一般的な斎場を示す平面図。
【図３】従来の近接する範囲に葬儀に関係する施設が配置される複合施設の一例を示す平面図。
【発明を実施するための形態】
【００１９】
以下、本発明の堂内陵墓の実施例について、図面を参照して説明する。
図１は、本発明の堂内陵墓の各階に配置される施設を示す平面図である。地下１階、地上５階の一つの建物内に葬儀に関する施設が配置されている。各階にはエレベータ７０が配置される。地下１階１０には、大式場１２、式場ロビー１４が配置され、家族葬から一般葬までの葬儀、法要を執り行うことが可能である。地上１階２０には、寺務所２２、受付２４、エントランスロビー２６が配置され、高級ホテルの雰囲気を感じさせる豪華な設計となっている。
【００２０】
地上２階３０には、礼拝堂である礼拝口（一般陵墓）３２、副本堂３４が配置され、通常の参拝だけでなく、葬儀、法事を執り行うことが可能である。地上３階４０には、本堂４２、和室４４が配置され、地上２階の副本堂３４とは部屋の収容人数、装飾も異なり広くより豪華に設計されている。和室４４では、お清め、精進落としなどにも使用可能である。
【００２１】
地上４階５０には、特別礼拝堂である礼拝口（高級陵墓）５２、休憩所５４が配置され、地上３階よりもさらに豪華な造りとなっており、礼拝口に使用される墓石の材質も高級なものとされている。地上５階６０には２０人程度収容可能な第一客殿６２、第二客殿６４、および３０人程度収容可能な第三客殿６６が配置され、通夜振る舞い、お清め、精進落としに使用することができる。また、客殿を繋げて最大１００人程までの使用も可能である。
【００２２】
このように階ごとに、内装や墓石の質を変えることで利用者がそれぞれの趣向や予算に見合った葬儀、法要の形式を選択することができる。また、同一建物内で通夜から葬儀、その後の法要、通常の参拝の全てを行うことができ、その利便性の高さ、コスト削減の利点は明らかである。
【００２３】
なお、図１に示される各フロアの説明は一例にすぎず、葬儀に関する必要な施設であれば、配置の方法、装飾の形態等、これに類するもの全てに適宜設計変更が可能である。
【符号の説明】
【００２４】
１０・・・地下１階フロア
１２・・・大式場
１４・・・式場ロビー
２０・・・地上１階フロア
２２・・・寺務所
２４・・・受付
２６・・・エントランスロビー
３０・・・地上２階フロア
３２・・・礼拝口（一般陵墓）
３４・・・副本堂
４０・・・地上３階フロア
４２・・・本堂
４４・・・和室
５０・・・地上４階フロア
５２・・・礼拝口（高級陵墓）
５４・・・休憩所
６０・・・地上５階フロア
６２・・・第一客殿
６４・・・第二客殿
６６・・・第三客殿
７０・・・エレベータ
【図１】
2014202005.tif 000003
【図２】
2014202005.tif 000004
【図３】
2014202005.tif 000005